(57)【要約】【課題】簡素化し、小形化できる照明装置を提供する。【解決手段】照明装置10は、本体15、発光モジュール17、第１透光部材18および第２透光部材19を備える。発光モジュール17は、本体15に配置される基板36、基板36の中央に設けられた第１発光部37、および基板36の第１発光部37の周囲に設けられた第２発光部38を有する。第１透光部材18は、第１発光部37に対向する。第２透光部材19は、第２発光部38に対向し、本体15との間に基板36を挟み込んで本体15に固定される。【選択図】図１
2020119738.tif 000002
【特許請求の範囲】
【請求項１】
本体と；
前記本体に配置される基板、この基板の中央に設けられた第１発光部、および前記基板の前記第１発光部の周囲に設けられた第２発光部を有する発光モジュールと；
前記第１発光部に対向する第１透光部材と；
前記第２発光部に対向し、前記本体との間に前記基板を挟み込んで前記本体に固定される第２透光部材と；
を具備することを特徴とする照明装置。
【請求項２】
前記第１発光部および前記第２発光部に電源を供給する電源部と；
前記電源部を収容し、前記本体に取り付けられる電源カバーと；
を具備し、
前記第１発光部が前記基板を介在して位置する前記本体の位置と前記電源カバーとが熱的に接続されている
ことを特徴とする請求項１記載の照明装置。
【請求項３】
前記本体は、筒部、およびこの筒部の上面側に設けられる天面部を有し、前記筒部の内側に前記発光モジュール、前記第１透光部材および前記第２透光部材が配置され、前記天面部に前記第２透光部材に対向する受光孔が設けられ、
前記電源部は、前記受光孔を通じて前記第２透光部材に対向され、光信号を受光する受光部を有する
ことを特徴とする請求項１または２記載の照明装置。
【発明の詳細な説明】
【技術分野】
【０００１】
本発明の実施形態は、発光モジュールを用いた照明装置に関する。
【背景技術】
【０００２】
従来、基板の中央とその中央の周囲とにそれぞれ発光部を配置した発光モジュールを用い、中央の発光部と周囲の発光部とで異なる配光が得られるようにした照明装置がある。この照明装置では、異なる配光が得られるように複数の透光部材や反射部材、これらを保持する保持部材などが用いられている。
【０００３】
このような構成の照明装置では、部品点数が多くなり、大形化しやすい。
【先行技術文献】
【特許文献】
【０００４】
【特許文献１】特許第５９４４９４２号公報
【発明の概要】
【発明が解決しようとする課題】
【０００５】
本発明は、簡素化し、小形化できる照明装置を提供することである。
【課題を解決するための手段】
【０００６】
実施形態の照明装置は、本体、発光モジュール、第１透光部材および第２透光部材を備える。発光モジュールは、本体に配置される基板、基板の中央に設けられた第１発光部、および基板の第１発光部の周囲に設けられた第２発光部を有する。第１透光部材は、第１発光部に対向する。第２透光部材は、第２発光部に対向し、本体との間に基板を挟み込んで本体に固定される。
【発明の効果】
【０００７】
実施形態の照明装置によれば、簡素化し、小形化することが期待できる。
【図面の簡単な説明】
【０００８】
【図１】一実施形態を示す照明装置の断面図である。
【図２】同上照明装置の断面図である。
【図３】同上照明装置の断面図である。
【図４】同上照明装置の分解斜視図である。
【図５】同上照明装置の斜視図である。
【発明を実施するための形態】
【０００９】
以下、一実施形態を、図面を参照して説明する。
【００１０】
照明装置10は、被設置部としての天井板に設けられた埋込孔に埋め込み設置するダウンライトなどの埋込形照明装置である。照明装置10は、灯体11と、この灯体11の上部に配置される電源部12とを備えている。照明装置10は、中心軸ｚを有している。
【００１１】
そして、照明装置10の灯体11は、筐体である本体15、複数の取付ばね16、発光モジュール17、第１透光部材18、第２透光部材19、レンズカバー20、遮光部材21、および端子台22などを備えている。
【００１２】
本体15は、例えば金属製で、中心軸ｚを中心とした円筒状に形成されている。本体15は、円筒状の筒部（埋込筒部）24、この筒部24の上面側に設けられる天面部25、および筒部24の下端から外径側に突出する化粧枠部26を有し、内部に下面側に開口された凹部15aが形成されている。
【００１３】
筒部24の下端内周側には、第２透光部材19を嵌合する嵌合溝部27が周方向に沿って形成されている。筒部24の外側には、複数の取付ばね16を取り付けるための複数のばね取付部28が設けられている。
【００１４】
天面部25の下面には、発光モジュール17が熱的に接続されて取り付けられる。天面部25には、発光モジュール17を位置決めするための複数の位置決め突起29が天面部25の下面から突設されているとともに、発光モジュール17を介して第２透光部材19をねじ止めするための複数の取付孔30が設けられている。
【００１５】
天面部25の上面には、電源部12を取り付けるために、天面部25の中央の１箇所から突出する取付部31aと、天面部25の周辺部の複数箇所から突出する取付部31bとを備えている。これら取付部31a，31bは、電源部12をねじ止めするためのボスによって構成されている。
【００１６】
天面部25の周辺部には、配線孔32および受光孔33が設けられている。これら配線孔32と受光孔33とは、天面部25の中央を中心として反対位置に設けられている。
【００１７】
また、取付ばね16は、本体15の各ばね取付部28に取り付けられ、本体15の外側方に向けて展開するように弾性を有している。
【００１８】
また、発光モジュール17は、基板36、この基板36の中央に設けられた第１発光部37、および基板36の第１発光部37の周囲に設けられた複数の第２発光部38を有している。
【００１９】
基板36は、一面に配線パターンが形成され、この配線パターン上に第１発光部37および第２発光部38が実装されている。基板36は本体15の内側に挿入され、基板36の他面が本体15の天面部25の下面に熱的に接続された状態に取り付けられる。
【００２０】
基板36には、本体15の各位置決め突起29に嵌合する複数の位置決め孔39が設けられているとともに、第２透光部材19の一部が嵌合する複数の嵌合孔40が設けられている。各嵌合孔40は、本体15の各取付孔30と同軸となる位置に設けられている。本実施形態では、一対の位置決め孔39と一対の嵌合孔40とが、基板36の中心に対して交差（直交）する位置に設けられている。
【００２１】
第１発光部37および第２発光部38は、表面実装（ＳＭＤ）形のＬＥＤパッケージが用いられている。ＬＥＤパッケージは、パッケージ本体にＬＥＤチップが設けられ、このＬＥＤチップが蛍光体層で封止されている。第１発光部37は、第２発光部38よりも高出力タイプが用いられている。複数の第２発光部38は、位置決め孔39や嵌合孔40よりも基板36の周辺部に位置し、基板36の周方向に沿って等間隔に配列されている。なお、第１発光部37および第２発光部38は、ＣＯＢモジュール形や有機ＥＬなどでもよい。
【００２２】
なお、基板36の一面の各嵌合孔40が配置される円周上の領域は、第２透光部材19が当接する当接領域36aとされている。この当接領域36aは、位置決め孔39や第２発光部38などが配置されていない領域である。すなわち、基板36の当接領域36aよりも外径側に第２発光部38が実装されている。また、基板36の周縁部には、本体15の受光孔33の位置に対応して切欠部36bが設けられている。
【００２３】
また、第１透光部材18は、第１発光部37の光軸上に配置され、第１発光部37の光を狭角配光に制光するレンズ42によって構成されている。レンズ42は、透明なガラスや樹脂材料によって形成され、レンズ本体43、およびこのレンズ本体43の下端側の外周面から突設された鍔部44を有している。レンズ本体43は、第１発光部37に対向して第１発光部37の光が入射する入射面、この入射面に対して反対側で光が出射する出射面、およびこれら入射面と出射面との間の外周に入射面から入射した光を光軸方向に向けて反射する反射面を有している。
【００２４】
また、第２透光部材19は、透光性および拡散性を有している。第２透光部材19は、下面が凹面となる環状のカバー部46、このカバー部46の内側から上方に向けて突出する外筒部47、この外筒部47の上端から内側に向けて突出する環状の当接部48、およびこの当接部48の内側から下方に向けて突出する内筒部49を有している。外筒部47と内筒部49とは所定の間隔をあけて同心円状に配置されている。内筒部49の内側は上下方向に貫通開口されている。
【００２５】
カバー部46の外周には本体15の嵌合溝部27に嵌合する嵌合部50が周方向に沿って設けられている。
【００２６】
当接部48の上面は、基板36の当接領域36aに当接される。当接部48の上面には、基板36の各嵌合孔40に嵌合する複数の突出部51が突設されている。突出部51には、本体15の各取付孔30に螺着される複数のねじ52が挿通する複数の挿通孔53が設けられている。そして、第２透光部材19は、ねじ52の締め付けにより、基板36を本体15の天面部25に押し付け、本体15との間に基板36を挟み込んで固定する。
【００２７】
内筒部49には、各ねじ52が挿通される複数の切欠部54、およびレンズカバー20が係止される複数の係止孔55が設けられている。内筒部49の内径はレンズ本体43の外径よりも大きく、内筒部49の内側にレンズ本体43が挿入配置される。
【００２８】
なお、第１透光部材18および第２透光部材19ともに、本体15の凹部15aの中に収容され、本体15の下面よりも突出しない。
【００２９】
また、レンズカバー20は、上下に貫通開口する円筒状に形成され、内筒部49の外周に嵌合される。レンズカバー20には、内筒部49の各係止孔55に係止される爪構造の複数の係止部58が設けられている。レンズカバー20の下端内周部には、レンズ42の鍔部44が係合する係合部59が設けられている。レンズカバー20の下端外周部には、外筒部47との間の隙間を少なくするために膨出部60が設けられている。そして、内筒部49に係止されるレンズカバー20により、内筒部49と係合部59との間でレンズ42の鍔部44を挟み込んで保持する。
【００３０】
また、遮光部材21は、遮光性を有するフィルムが用いられ、第２透光部材19の内筒部49の内周面に沿って筒状に配置される。すなわち、遮光部材21は、第１透光部材18と第２透光部材19であるレンズ42との間に配置される。遮光部材21の上端は基板36で規制され、下端はレンズ42の鍔部44で規制されている。なお、遮光部材21は、筒状に設けられていてもよい。
【００３１】
次に、照明装置10の電源部12は、電源ユニット63、およびこの電源ユニット63を収容する電源カバー64を備えている。
【００３２】
電源ユニット63は、電源基板66、この電源基板66に実装された電源回路67を構成する複数の電源回路部品68を備えている。電源回路67は、例えば交流電源などの外部電源を、発光モジュール17の第１発光部37と第２発光部38とをそれぞれ点灯させる直流電源などの所定の点灯電源に変換して、第１発光部37と第２発光部38とに供給する。電源回路67は、第１発光部37と第２発光部38と個別に調光制御する。
【００３３】
照明装置10は、赤外線などの光信号を投光するリモコンによって第１発光部37と第２発光部38と個別に調光し、配光を操作可能とする。そのため、電源ユニット63は、リモコンからの光信号を受光する受光部69を備えている。受光部69は、受光部本体70、およびこの受光部本体70の下面に設けられた受光素子部71を有している。さらに、受光素子部71は、受光レンズ、この受光レンズに対向配置される受光素子などを有している。受光部69は、電源基板66上に実装されている。なお、受光部69は、電源基板66上に実装される以外に、電源カバー64側や本体15側に配置してもよい。
【００３４】
電源ユニット63は、本体15の配線孔32を挿通する接続線により、発光モジュール17と電気的に接続される。
【００３５】
また、電源カバー64は、例えば金属製であり、天板部74、およびこの天板部74の周辺部から下方に突出する側壁部75を備え、本体15の上面に被着される。電源カバー64には、本体15に取り付けるために、天板部74の中央の１箇所から突出する取付部76aと、周辺部の複数箇所から突出する取付部76bとを備えている。これら取付部76a，76bは、本体15の各取付部31a，31bと同軸に設けられている。そして、複数のねじを各取付部76a，76bを挿通して本体15の各取付部31a，31bに螺着することにより、電源カバー64が本体15に固定される。
【００３６】
電源カバー64の上面には、端子台22を取り付ける端子台取付部77が設けられている。
【００３７】
そして、電源カバー64の内側に、電源ユニット63が収容配置されている。電源ユニット63の電源基板66は、取付部76a，76bおよび端子台取付部77と干渉しない形状に形成され、電源カバー64の内側に配置されている。受光部69は、本体15の受光孔33を通じて第２透光部材19に対向するように配置されている。
【００３８】
次に、照明装置10の組み立てについて説明する。
【００３９】
本体15の内側に発光モジュール17を挿入し、天面部25の各位置決め突起29に基板36の各位置決め孔39を嵌合し、天面部25に基板36を位置決め配置する。
【００４０】
本体15の内側に第２透光部材19を挿入し、基板36の各嵌合孔40に第２透光部材19の各突出部51を嵌合して基板36に当接部48を当接させ、本体15の嵌合溝部27に嵌合部50を嵌合する。各ねじ52を各突出部51から本体15の取付孔30に螺着することにより、本体15に第２透光部材19を固定する。この固定状態では、本体15と第２透光部材19との間に基板36が挟み込まれ、基板36が本体15に密着し、熱的に接続される。第２発光部38が第２透光部材19のカバー部46に対向される。
【００４１】
第２透光部材19の内筒部49の内周に遮光部材21を配置し、その内筒部49の内側にレンズ42を挿入し、外筒部47と内筒部49との間にレンズカバー20を挿入し、内筒部49の係止孔55にレンズカバー20の係止部58を係止させ、第２透光部材19に遮光部材21、レンズ42およびレンズカバー20が一体に固定される。レンズ42は、鍔部44が内筒部49とレンズカバー20との間で挟み込みれて保持され、第１発光部37の光軸上に配置されるとともに、入射面が第１発光部37に対向配置される。また、レンズカバー20により、外筒部47と内筒部49との間の隙間やねじ52などが隠蔽される。
【００４２】
本体15の配線孔32から予め引き出されている発光モジュール17との接続線を電源ユニット63に電気的に接続する。電源カバー64を本体15の上面に被着し、各ねじを電源カバー64の各取付部76a，76bから本体15の各取付部31a，31bに螺着し、電源部12を本体15に固定し、組立完了となる。
【００４３】
電源カバー64の固定状態では、電源カバー64と本体15との間に電源ユニット63が収容される。電源カバー64の各取付部76a，76bと本体15の各取付部31a，31bとが当接し、熱的に接続される。さらに、第１発光部37が基板36を介在して位置する本体15の中央位置と電源カバー64とが熱的に接続される。すなわち、第１発光部37が基板36を介在して位置する本体15の中央の取付部31aと電源カバー64の中央の取付部76aとで構成される熱伝導部80によって熱的に接続される。
【００４４】
また、照明装置10を天井板に設置するには、天井板の埋込孔から引き出した電源線を端子台22に接続し、本体15の取付ばね16を本体15の筒部24に沿う弾性変形状態に作業者の手で押さえながら埋込孔に挿入し、挿入状態で取付ばね16の押さえを解除することにより、取付ばね16が弾性によって本体15の外側方に展開して天井板の上側に係合し、天井板に対して照明装置10を上方に引き上げる。化粧枠部26が天井板の下面に当接し、化粧枠部26と取付ばね16との間で天井板を挟み込んで、設置完了となる。
【００４５】
そして、電源ユニット63に外部電源が供給されることにより、電源回路67によって外部電源を所定の点灯電源に変換して発光モジュール17の第１発光部37および第２発光部38にそれぞれ供給し、これら第１発光部37および第２発光部38が点灯する。
【００４６】
第１発光部37の光は、第１透光部材18であるレンズ42を通過して狭角配光となり、直下方向の狭い範囲に照射される。
【００４７】
第２発光部38の光は、第２透光部材19を通過する際に拡散されて広角配光となり、広い範囲に照射される。
【００４８】
第１透光部材18であるレンズ42と第２透光部材19との間に遮光部材21が配置されているため、第１発光部37の光が第２透光部材19に入射したり、第２発光部38の光が第１透光部材18であるレンズ42に入射するのを低減する。
【００４９】
また、照明装置10は、リモコンの操作によって、狭角配光と広角配光を切り換えたり、狭角配光と広角配光との割合を可変することができる。
【００５０】
リモコン使用者は、配光変更を行う照明装置10の直下に行き、真上の照明装置10に向けてリモコンを操作する。図３に示すように、リモコンから投光される光信号ｓは、第２透光部材19のカバー部46を透過し、本体15の受光孔33を通じて受光部69に受光する。
【００５１】
光信号ｓを受光した受光部69からの受光信号が電源ユニット63の電源回路67が有する制御部に送られ、制御部により第１発光部37および第２発光部38に供給する電源がそれぞれ調整される。
【００５２】
例えば、第１発光部37のみに電源が供給され、第１発光部37のみが発光して狭角配光に制御される。また、第２発光部38のみに電源が供給され、第２発光部38のみが発光して広角配光に制御される。あるいは、第１発光部37と第２発光部38とがそれぞれ調光点灯され、狭角配光と広角配光との割合が制御される。
【００５３】
同じリモコンからの光信号ｓで動作する複数の照明装置10が天井に設置されている場合でも、他の照明装置10に向けてリモコンから投光された光信号ｓを受光し、誤動作してしまう懸念がある。本実施形態の照明装置10は、本体15が筒部24を有し、この筒部24の上部の天面部25に受光孔33を設け、つまり本体15の最も奥まった位置に受光孔33を設け、この受光孔33に対向して受光部69を配置しているため、他の照明装置10に向けてリモコンから投光された光信号ｓを受光してしまうのを低減される。
【００５４】
また、点灯時に第１発光部37および第２発光部38が発生する熱は、基板36を通じて本体15に伝達され、さらに本体15から電源カバー64に伝達され、これら本体15および電源カバー64から空気中に放熱される。
【００５５】
このとき、第１発光部37が基板36を介在して位置する本体15の中央位置と電源カバー64とが熱的に接続されているため、第１発光部37が発生する熱が本体15から電源カバー64に効率よく伝達されて放熱される。
【００５６】
このように構成された照明装置10は、第２透光部材19が本体15との間に発光モジュール17の基板36を挟み込んで本体15に固定するため、発光モジュール17の基板36を本体15に固定するための特別な部材が必要なく、構成を簡素化し、小形化でき、さらに組立性も向上できる。
【００５７】
また、第１発光部37が基板36を介在して位置する本体15の中央位置と電源カバー64とが熱的に接続するため、基板36の中央に設けられる第１発光部37が高出力タイプであったとしても、この第１発光部37が発生する熱を効率よく電源カバー64に逃し、空気中に放熱させることができる。
【００５８】
また、本体15が筒部24およびこの筒部24の上部の天面部25を有し、この天面部25に第２透光部材19と受光部との間に受光孔33を設け、つまり本体15の最も奥まった位置に受光孔33を設け、この受光孔33に対向して受光部69を配置しているため、同じリモコンからの光信号ｓで動作する複数の照明装置10が天井に設置されている場合でも、他の照明装置10に向けてリモコンから投光された光信号ｓを受光し、誤動作してしまうのを防止できる。
【００５９】
また、奥まった位置に受光孔33を設けているため、受光孔33が壁に囲まれた構造となっている。本実施形態では、外側壁となる筒部24と内側壁となるレンズカバー20で囲まれた領域に受光孔33が位置している。そのため、光信号ｓが照明器具10の真下ではなく角度が付いた場所から入射した場合は、これらの壁で光信号ｓが１回もしくは複数回反射する。この反射により光信号ｓの強度が低下するため、受光孔33が壁に囲まれた構造とすることにより、照明器具10の真下ではなく角度が付いた場所から光信号ｓを照射した場合に誤作動してしまうのを防止できる。また、筒部24の内側やレンズカバー20は、可視光線を反射し、光信号ｓを反射しにくい材料で構成されていることが好ましい。
【００６０】
しかも、第１透光部材18および第２透光部材19ともに、本体15の凹部の中に収容され、本体15の下面よりも突出しない。第１透光部材18および第２透光部材19が本体15の下面より突出していると、特に第２透光部材19については、光信号ｓを拾いやすくする効果がある。つまり、本体15の外部に露出する部分でリモコンから投光された光信号ｓを受けて、拡散し、本体15の凹部15aの中に入射し、誤動作する虞があり、突出しない構成が望ましい。
【００６１】
なお、第１発光部37の光源と第２発光部38の光源は、配光角や色温度が異なる光源を選定してもよい。例えば、第１発光部37と第２発光部38に異なる色温度の光源を選定し、色温度可変の照明装置10としてもよい。その場合は、本実施形態のように、配光角が変わるようにしてもよいし、第１発光部37に広配光の光源を選定したり、第１透光部材18に広角配光のレンズ42を選定したりして、第１発光部37から照射される光と第２発光部38から照射される光の配光角を近づけるような構成としてもよい。
【００６２】
また、電源ユニット63は、電源カバー64、または本体15の天面部25の基板36が配置される側とは反対側に、例えばねじ止めで取り付けられてもよい。電源カバー64または天面部25に取り付けられることで、電源ユニット63で発生した熱を放熱することができる。
【００６３】
また、熱伝導部80は、第１発光部37が基板36を介在して位置する本体15の中央の取付部31aと電源カバー64の中央の取付部76aとで構成されていたが、本体15から電源カバー64に熱的に接続される熱伝導部80を突設してもよいし、電源カバー64から本体15に熱的に接続される熱伝導部80を突設してもよく、あるいは、本体15と電源カバー64との間に別体の熱伝導部80を介在してもよい。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
10    照明装置
12    電源部
15    本体
17    発光モジュール
18    第１透光部材
19    第２透光部材
24    筒部
25    天面部
33    受光孔
36    基板
37    第１発光部
38    第２発光部
64    電源カバー
69    受光部
【図１】
2020119738.tif 000003
【図２】
2020119738.tif 000004
【図３】
2020119738.tif 000005
【図４】
2020119738.tif 000006
【図５】
2020119738.tif 000007